(57)【要約】  【課題】液晶表示装置の厚みの増加を抑えつつ、光学素子の剛性不足を改善することができ、かつ、液晶表示装置の表示特性の劣化を抑制することができる光学素子積層体を提供する。  【解決手段】光学素子積層体は、第１の光学素子と、第１の光学素子に重ね合わされた第２の光学素子とを備える。第１の光学素子および第２の光学素子は、矩形状を有するフィルムまたはシートである。第１の光学素子および第２の光学素子は、各光学素子の４辺のうち、少なくとも対向する一組の辺部に側壁部を有する。【選択図】図４
2010044220.tif 000002
【特許請求の範囲】
【請求項１】
第１の光学素子と、
上記第１の光学素子に重ね合わされた第２の光学素子と
を備え、
上記第１の光学素子および上記第２の光学素子は、矩形状を有するフィルムまたはシートであり、
上記第１の光学素子および上記第２の光学素子は、各光学素子の４辺のうち、少なくとも対向する一組の辺部に側壁部を有する光学素子積層体。
【請求項２】
上記第１の光学素子と上記第２の光学素子との間の収容空間に、第３の光学素子をさらに備え、
上記第１の光学素子、上記第２の光学素子、および上記第３の光学素子が密着する請求項１記載の光学素子積層体。
【請求項３】
上記第３の光学素子は、帯状の形状を有し、
上記帯状の第３の光学素子の一端から他端に向けて複数の光学素子が順次設けられ、
上記第３の光学素子は、上記複数の光学素子の境界部を折り目として、折りたたまれている請求項２記載の光学素子積層体。
【請求項４】
上記折りたたまれた光学素子の間に、フィルム状、シート状または板状を有する１または複数の光学素子をさらに備える請求項３記載の光学素子積層体。
【請求項５】
上記第３の光学素子の全周囲が上記第１の光学素子および／または上記第２の光学素子の側壁部により閉ざされている請求項２記載の光学素子積層体。
【請求項６】
上記第１の光学素子と上記第２の光学素子との間の収容空間に、導光板をさらに備える請求項１記載の光学素子積層体。
【請求項７】
上記第１の光学素子および／または上記第２の光学素子の側壁部には、光源から光を透過させるための開口部が設けられている請求項６記載の光学素子積層体。
【請求項８】
上記第１の光学素子および上記第２の光学素子の側壁部は、角部において開放されている請求項１記載の光学素子積層体。
【請求項９】
上記側壁部は、上記第１の光学素子および上記第２の光学素子の周縁部を折り曲げることにより形成される請求項１記載の光学素子積層体。
【請求項１０】
上記第１の光学素子および上記第２の光学素子の周縁部は、折り曲げ線に沿って折り曲げられている請求項９記載の光学素子積層体。
【請求項１１】
上記第１の光学素子および上記第２の光学素子が密着している請求項１記載の光学素子積層体。
【請求項１２】
上記第１の光学素子の側壁部と上記第２の光学素子の側壁部とが重なり合わされ、
上記重なり合った側壁部の少なくとも一部が接合されている請求項１記載の光学素子積層体。
【請求項１３】
上記第１の光学素子の側壁部と上記第２の光学素子の側壁部とが重なり合わされ、
上記重なり合った側壁部の少なくとも一部に嵌合部が設けられている請求項１記載の光学素子積層体。
【請求項１４】
上記第１の光学素子および上記第２の光学素子の側壁部は、同一の方向、または互いに異なる方向に立設されている請求項１記載の光学素子積層体。
【請求項１５】
１つの角を介して隣接する２辺に設けられた側壁部が、連結部材により連結されている請求項１記載の光学素子積層体。
【請求項１６】
光を出射する光源と、
上記光源から出射された光が透過する光学素子積層体と
を備え、
上記光学素子積層体は、
第１の光学素子と、
上記第１の光学素子に重ね合わされた第２の光学素子と
を備え、
上記第１の光学素子および上記第２の光学素子は、矩形状を有するフィルムまたはシートであり、
上記第１の光学素子および上記第２の光学素子は、各光学素子の４辺のうち、少なくとも対向する一組の辺部に側壁部を有するバックライト。
【請求項１７】
光を出射するバックライトと、
上記バックライトから出射された光に基づき画像を表示する液晶パネルと
を備え、
上記バックライトは、
光を出射する光源と、
上記光源から出射された光が透過する光学素子積層体と
を備え、
上記光学素子積層体は、
第１の光学素子と、
上記第１の光学素子に重ね合わされた第２の光学素子と
を備え、
上記第１の光学素子および上記第２の光学素子は、矩形状を有するフィルムまたはシートであり、
上記第１の光学素子および上記第２の光学素子は、各光学素子の４辺のうち、少なくとも対向する一組の辺部に側壁部を有する液晶表示装置。
【発明の詳細な説明】
【技術分野】
【０００１】
この発明は、光学素子積層体、それを備えるバックライトおよび液晶表示装置に関する。詳しくは、液晶表示装置の表示特性を改善する光学素子積層体に関する。
【背景技術】
【０００２】
従来、液晶表示装置では、視野角や輝度などの改善を目的として多数の光学素子が用いられている。これらの光学素子としては、拡散シートやプリズムシートなどのシート状のものが用いられている。
【０００３】
図１は、従来の液晶表示装置の構成を示す。この液晶表示装置は、図１に示すように、光を出射する照明装置１０１と、照明装置１０１から出射された光を拡散する拡散板１０２と、この拡散板１０２により拡散された光を集光や拡散などする複数の光学素子１０３と、液晶パネル１０４とを備える。
【０００４】
ところで、近年の液晶表示装置の大型化に伴って、光学素子の自重やサイズが増大する傾向にある。このように光学素子の自重やサイズが増大すると、光学素子の剛性が不足するため、光学素子の変形が発生してしまう。このような光学素子の変形は、表示面への光学指向性に影響を与え、斜視時に輝度ムラが生じるという重大な問題を招いてしまう。
【０００５】
そこで、光学素子の厚さを増すことで、光学素子の剛性不足を改善することが提案されている。しかしながら、このように光学素子の厚さを増すと、液晶表示装置が厚くなってしまい、薄型かつ軽量という液晶表示装置の利点が損なわれてしまう。そこで、光学素子同士を透明粘着剤により貼り合わせることにより、シート状またはフィルム状の光学素子の剛性不足を改善することが提案されている（例えば特許文献１参照）。
【０００６】
【特許文献１】特開２００５−３０１１４７号公報
【発明の開示】
【発明が解決しようとする課題】
【０００７】
しかしながら、特許文献１の技術では、光学素子同士を透明粘着剤により貼り合わせるため、光学素子の厚さを増す改善方法ほどではないが、液晶表示装置自体がやはり厚くなってしまうという問題がある。また、透明接着剤により、液晶表示装置の表示特性が劣化してしまう虞もある。
【０００８】
したがって、この発明の目的は、液晶表示装置の厚みの増加を抑えつつ、光学素子の剛性不足を改善することができ、かつ、液晶表示装置の表示特性の劣化を抑制することができる光学素子積層体、それを備えるバックライトおよび液晶表示装置を提供することにある。
【課題を解決するための手段】
【０００９】
上述の課題を解決するために、第１の発明は、
第１の光学素子と、
第１の光学素子に重ね合わされた第２の光学素子と
を備え、
第１の光学素子および第２の光学素子は、矩形状を有するフィルムまたはシートであり、
第１の光学素子および第２の光学素子は、各光学素子の４辺のうち、少なくとも対向する一組の辺部に側壁部を有する光学素子積層体である。
【００１０】
第２の発明は、
光を出射する光源と、
光源から出射された光が透過する光学素子積層体と
を備え、
光学素子積層体は、
第１の光学素子と、
第１の光学素子に重ね合わされた第２の光学素子と
を備え、
第１の光学素子および第２の光学素子は、矩形状を有するフィルムまたはシートであり、
第１の光学素子および第２の光学素子は、各光学素子の４辺のうち、少なくとも対向する一組の辺部に側壁部を有するバックライトである。
【００１１】
第３の発明は、
光を出射するバックライトと、
バックライトから出射された光に基づき画像を表示する液晶パネルと
を備え、
バックライトは、
光を出射する光源と、
光源から出射された光が透過する光学素子積層体と
を備え、
光学素子積層体は、
第１の光学素子と、
第１の光学素子に重ね合わされた第２の光学素子と
を備え、
第１の光学素子および第２の光学素子は、矩形状を有するフィルムまたはシートであり、
第１の光学素子および第２の光学素子は、各光学素子の４辺のうち、少なくとも対向する一組の辺部に側壁部を有する液晶表示装置である。
【００１２】
この発明では、第１の光学素子および第２の光学素子は、各光学素子の４辺のうち、少なくとも対向する一組の辺部に側壁部を有するので、断面２次モーメントを増加させることができる。したがって、第１の光学素子および第２の光学素子の強度を向上することができる。
【発明の効果】
【００１３】
以上説明したように、この発明によれば、液晶表示装置の厚みの増加を抑えつつ、光学素子の剛性不足を改善することができ、かつ、液晶表示装置の表示特性の劣化を抑制することができる。
【発明を実施するための最良の形態】
【００１４】
以下、この発明の実施形態について図面を参照しながら説明する。なお、以下の実施形態の全図においては、同一または対応する部分には同一の符号を付す。
【００１５】
（１）第１の実施形態
（１−１）液晶表示装置の構成
図２は、この発明の第１の実施形態による液晶表示装置の一構成例を示す。図１に示すように、この液晶表示装置は、光を出射するバックライト１と、バックライト１から出射された光に基づき画像を表示する液晶パネル２とを備える。
【００１６】
（液晶パネル）
液晶パネル２は、バックライト１から出射された光を時間的空間的に変調して情報を表示するためのものである。液晶パネル２としては、例えば、ツイステッドネマチック（Twisted Nematic：ＴＮ）モード、スーパーツイステッドネマチック（Super Twisted Nematic：ＳＴＮ）モード、垂直配向（Vertically Aligned：ＶＡ）モード、水平配列（In-Plane Switching：ＩＰＳ）モード、光学補償ベンド配向（Optically Compensated Birefringence：ＯＣＢ）モード、強誘電性（Ferroelectric Liquid Crystal：ＦＬＣ）モード、高分子分散型液晶（Polymer Dispersed Liquid Crystal：ＰＤＬＣ）モード、相転移型ゲスト・ホスト（Phase Change Guest Host：ＰＣＧＨ）モードなどの表示モードのものを用いることができる。
【００１７】
（バックライト）
バックライト２は、いわゆる直下式の照明装置であり、光を出射する複数の光源１１と、光源１１から出射された光の特性を調整し、液晶パネル２に向けて出射する光学素子積層体２１と、光源１１および光学素子積層体２１を収容する筐体１２とを備える。また、筐体１２には、複数のスタッドピン１３が設けられ、このスタッドピン１３により光学素子積層体２１が支持される。スタッドピン１３は、中心部に多く配置するのではなく、外側にも積極的に配置するようにしてよい。この場合、配置本数を変えずに、ある割合の本数を中心部ではなく外側に配置するようにする。
【００１８】
光源１１としては、例えば、冷陰極蛍光管（ＣＣＦＬ：Cold Cathode Fluorescent Lamp）、および熱陰極蛍光管（ＨＣＦＬ:Hot Cathode Fluorescent Lamp）などの線光源、有機エレクトロルミネッセンス（ＯＥＬ：Organic ElectroLuminescence）、無機エレクトロルミネッセンス（ＩＥＬ：Inorganic ElectroLuminescence）、および発光ダイオード(ＬＥＤ：Light Emitting Diode)などの点光源を用いることができる。
【００１９】
（光学素子積層体）
図３は、この発明の第１の実施形態による光学素子積層体の一構成例を示す斜視図である。図４は、この発明の第１の実施形態による光学素子積層体の一構成例を示す分解斜視図である。図５は、図３に示した光学素子積層体のＶ−Ｖ線に沿った断面図である。
【００２０】
光学素子積層体２１は、フィルム状またはシート状を有する第１の光学素子２２および第２の光学素子２３を積層したものである。積層された第１の光学素子２２と第２の光学素子２３とが密着していることが好ましい。第１の光学素子２２は、矩形状の主面部２２ｓと、この主面部２２ｓの４辺に立設された側壁部２２ａとを有する。また、同様に、第２の光学素子２３は、矩形状の主面部２３ｓと、この主面部２３ｓの４辺に立設された側壁部２３ａとを有する。第１の光学素子２２および第２の光学素子２３は、それらの側壁部２２ａ、２３ａが同一の方向を向くように重ね合わされている。第１の光学素子２２および第２の光学素子２３の少なくとも一方が非結晶性の熱可塑性樹脂を主成分としていることが好ましい。
【００２１】
第１の光学素子２２の主面部２２ｓは、第２の光学素子２３と対向する内側面と、それとは反対側の外側面とを有する。主面部２２ｓの内側面および外側面の少なくとも一方には、例えば、レンズ形状やエンボス形状などの形状が付与されている。また、主面部２２ｓの内部にフィラーが添加されていてもよい。
【００２２】
また、第２の光学素子２３の主面部２３ｓは、第１の光学素子２２と対向する内側面と、それとは反対側の外側面とを有する。主面部２３ｓの内側面および外側面の少なくとも一方には、例えば、レンズ形状やエンボス形状などの形状が付与されている。また、主面部２３ｓの内部にフィラーが添加されていてもよい。
【００２３】
図６は、光学素子積層体の側壁部を拡大して示す。図６Ａに示すように、第２の光学素子２３の側壁部２３ａの位置は、第１の光学素子２２の側壁部２２ａの内側となっていればよく特に限定されるものではない。また、図６Ｂおよび図６Ｃに示すように、第１の光学素子２２の側壁部２２ａが、第２の光学素子２３の側壁部２３ａの一部または全部を覆って覆っている。
【００２４】
また、図７および図８に示すように、第１の光学素子２２の側壁部２２ａと第２の光学素子２３の側壁部２３ａとが反対の方向を向くように、第１の光学素子２２と第２の光学素子２３とを重ね合わせるようにしてもよい。
【００２５】
図９は、第１の光学素子２２の角部を拡大して示す。図９に示すように、第１の光学素子２２の角部には側壁部２２ａが形成されておらず、開放部５１が形成されていることが好ましい。第１の光学素子２２の辺部を折り曲げて側壁部２２ａを形成する場合に、第１の光学素子２２の辺部の折り曲げが容易となるからである。
ここでは、第１の光学素子２２について説明したが、第２の光学素子２３も同様の形状とすることが好ましい。なお、以下に説明する第１の光学素子２２の構成や形状などは、第２の光学素子２２についても同様に適用可能である。
【００２６】
図１０、および図１１は、光学素子積層体の側壁部を拡大して示す。図１０に示すように、第１の光学素子２２の側壁部２２ａと、第２の光学素子２３の側壁部２３ａとが重ね合わされ、スポット接合されて接合部５３が形成されていることが好ましい。また、図１１に示すように、第１の光学素子２２の側壁部２２ａと、第２の光学素子２３の側壁部２３ａとが線状に接合されて接合部５３が形成されていることが好ましい。接合の方法としては、例えば、接着や溶着などが挙げられる。接着方法としては、例えばホットメルト型接着方法、熱硬化型接着方法、感圧（粘着）型接着方法、エネルギー線硬化型接着方法、水和型接着方法、吸湿・再湿型接着方法などが挙げられる。溶着方法としては、例えば熱溶着、超音波溶着、レーザ溶着などが挙げられる。
【００２７】
図１２は、第１の光学素子の展開図である。図１２に示すように、第１の光学素子２２の主面部２２ｓと側壁部２２ａとの境界には、辺部の折り曲げを容易にするための折り曲げ線２２Ｌが設けられている。この折り曲げ線２２Ｌは、例えば、第１の光学素子２２の主面部２２ｓと側壁部２２ａとの境界に浅い切り込みを入れることにより形成される。
【００２８】
（光学素子）
以下、図１３〜図２０を参照しながら、第１の光学素子２２の構成例について説明する。
【００２９】
（第１の構成例）
図１３は、この発明の第１の実施形態による第１の光学素子の第１の構成例を示す。図１３に示すように、第１の光学素子２２が、高分子材料とフィラー３２とを含んでいる基材層３１からなる。基材層３１は、例えば、シート状またはフィルム状を有する。基材層３１の材料としては、例えば公知の高分子材料を用いることができる。公知の高分子材料としては、例えば、トリアセチルセルロース（ＴＡＣ）、ポリエステル（ＴＰＥＥ）、ポリエチレンテレフタレート（ＰＥＴ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂などが挙げられる。
【００３０】
また、第１の光学素子２２が複数の層を備える場合には、少なくとも１以上の層がフィラー３２を含んでいるようにすればよい。拡散剤であるフィラー３２の材料は、基材層３１の主成分である高分子材料とは屈折率の異なるものであれば良く特に限定されるものではなく、求められる拡散性に応じて任意に選択することができる。具体的には、フィラー３２としては、例えば、アクリル系粒子、ポリスチレン系粒子、炭酸カルシウム、チタニア、シリカなどの酸化物を用いることができる。また、空気や不活性ガスなどの気体、水、アルコールおよびゲルなどの液体をフィラー３２として用いることも可能である。この第１の光学素子２２は、例えば、高分子材料とフィラー３２とを調製し、この調製した材料を溶融押出などによりフィルム状またはシート状などに成形した後、必要に応じて延伸処理および熱処理を施すことにより得ることができる。
【００３１】
（第２の構成例）
図１４は、この発明の第１の実施形態による第１の光学素子の第２の構成例を示す。図１４に示すように、基材層３１の表面には、エンボス成形により凹凸形状３３が形成されている。この凹凸形状３３は、ランダムに形成されていることが好ましい。また、基材層３１自体が、第１の構成例と同様に、拡散剤であるフィラーを含んでいてもよい。
【００３２】
（第３の構成例）
図１５は、この発明の第１の実施形態による第１の光学素子の第３の構成例を示す。図１５に示すように、第１の光学素子２２は、基材層３１と、この基材層３１の表面に設けられた拡散層３４とを備えている。この拡散層３４が、液晶パネル２に対向するように配置されることが好ましい。拡散層３４は、バインダー３５と、このバインダー３５と異なる屈折率を有するフィラー３６とを主成分とする。拡散層３４の表面からフィラー３６が突出し、表面に凹凸が形成されていることが好ましい。フィラー３６のサイズや形状は、特に限定されるものではなく、所望とする特性に応じて任意に選択することができる。また、フィラー３６の材料としては、ポリメチルメタクリレート、ポリスチレン、酸化チタン、シリカ、炭酸カルシウムなどが挙げられるが、バインダー３５と屈折率が異なればよく特に上記材料に限定されるものではない。バインダー３５としては、フィラー３６を分散することができ、かつ、基材層３１との密着性がよいものが好ましく、例えば、アクリル系ポリマーなどを用いることができる。この拡散層３４は、例えば、フィラー３６とバインダー３５と必要に応じて溶剤とを混合して塗料を調製し、この塗料を基材層３１上に塗布し、必要に応じて乾燥させた後、硬化させることにより形成することができる。
【００３３】
（第４の構成例）
図１６は、この発明の第１の実施形態による第１の光学素子の第４の構成例を示す。図１６に示すように、この第１の光学素子２２は、拡散層３４とは反対側の面にも拡散層３７をさらに備える点において、第３の構成例のものとは異なる。拡散層３７は、バインダー３８と、このバインダー３８とは屈折率が異なるフィラー３９とを主成分としている。フィラー３９は、バインダー３８から突出し、表面に凹凸が形成されていることが好ましい。バインダー３８、フィラー３９としては、第１の構成例のものと同様のものを用いることができる。
【００３４】
（第５の構成例）
図１７は、この発明の第１の実施形態による第１の光学素子の第５の構成例を示す。図１７に示すように、この第１の光学素子２２は、フィラー３６の周囲にボイド４０が形成されている点において、第３の構成例のものとは異なる。また、拡散層３４の表面からフィラー３６が突出し、表面に凹凸が形成されていることが好ましい。ボイド４０の形状としては、例えば、円盤状、楕円体状、立方体状などが挙げられるが、特にこれらの形状に限定されるものではなく、所望とする拡散機能に応じて任意に選択することができる。また、ボイド４０の形状および大きさを、液晶パネル２の視野角などに応じて制御するようにしてもよい。
【００３５】
（第６の構成例）
図１８は、この発明の第１の実施形態による第１の光学素子の第６の構成例を示す。図１８に示すように、この第１の光学素子２２は、基材層３１の表面にレンズ形状４１が形成されている点において、第２の構成例のものとは異なる。レンズ形状４１は、例えば、レンズ形状が表面に形成されたモールドなどを、基材層３１に対して押し当てることにより得ることができる。この際、基材層３１またはモールドの少なくとも一方を加熱することが好ましい。
また、第１の光学素子２２をレンズの稜線方向に延伸し、第１の光学素子２２に対して光学異方性を付与するようにしてもよい。
【００３６】
（第７の構成例）
図１９は、この発明の第１の実施形態による第１の光学素子の第７の構成例を示す。図１９に示すように、この第１の光学素子２２は、基材層３１の表面にレンズ層４２をさらに備える点において、第１の構成例のものとは異なっている。このレンズ層４２は、例えば、以下のようにして得ることができる。まず、基材層３１上に紫外線硬化樹脂などの感光性樹脂を塗布する。次に、レンズ形状が表面に形成されたモールドなどを、感光性樹脂に対して押し当てた後、紫外線などの光を感光性樹脂に照射し、感光性樹脂を硬化する。
【００３７】
（第８の構成例）
図２０は、この発明の第１の実施形態による第１の光学素子の第８の構成例を示す。図２０に示すように、この第１の光学素子２２は、基材層３１の一方の面に、拡散層３４に代えて、レンズ層４２を備える点において、第１の構成例のものとは異なっている。
【００３８】
（１−３）光学素子積層体の製造方法
次に、図２１〜図２２を参照して、上述の構成を有する光学素子積層体２１の製造方法の一例について説明する。
まず、図２１Ａに示すように、例えば、帯状の光学フィルム６１を準備する。次に、図２１Ｂに示すように、ビク型６２により光学フィルム６１を打ち抜くとともに、主面部２２ｓと側壁部２２ａとの間の境界に、浅い切り込みを入れ、折り曲げ線２２Ｌを形成する。この工程により、図２２に示すように、矩形状の各角部に対応する領域５２が打ち抜かれる。次に、この折り曲げ線２２Ｌに沿って側壁部２２ａを折り曲げ、主面部２２ｓに対して、側壁部２２ａをほぼ直角に立設させる。これにより、第１の光学素子２２が形成される。次に、第１の光学素子２２と同様にして、第２の光学素子２３を作製する。次に、作製した第１の光学素子２２および第２の光学素子２３を積層することもに、必要に応じて、第１の光学素子２２の側壁部２２ａと第２の光学素子２３の側壁部２３ａとを接合する。
以上により、目的とする光学素子積層体２１が得られる。
【００３９】
（２）第２の実施形態
図２３は、この発明の第２の実施形態による光学素子積層体２１の一構成例を示す。図２３に示すように、第１の光学素子２２は、矩形状の主面部２２ｓと、この主面部２２ｓの４辺のうち、対向する一組の辺に側壁部２２ａが設けられている。また、同様に、第２の光学素子２３は、矩形状の主面部２３ｓと、この主面部２３ｓの４辺のうち、対向する一組の辺に側壁部２３ａが設けられている。第１の光学素子２２および第２の光学素子２３は、それらの側壁部２２ａ、２３ａが同一の方向を向くように重ね合わされている。重ね合わされた第１の光学素子２２の側壁部２２ａと光学素子２３の側壁部２３ａとが組み合わされて、４辺の側壁部が形成されることが好ましい。光学素子積層体２１の強度をより向上することができるからである。
【００４０】
また、図２４に示すように、第１の光学素子２２の側壁部２２ａと第２の光学素子２３の側壁部２３ａとが反対の方向を向くように、第１の光学素子２２と第２の光学素子２３とを重ね合わせるようにしてもよい。
この第２の実施形態においては、上記以外のことは、第１の実施形態と同様である。
【００４１】
（３）第３の実施形態
図２５は、この発明の第３の実施形態による光学素子積層体の一構成例を示す分解斜視図である。図２６は、この発明の第３の実施形態による光学素子積層体の一構成例を示す断面図である。図２５および図２６に示すように、この光学素子積層体２１は、第１の光学素子２２と第２の光学素子２３との間の収容空間に、１または複数の矩形状の光学素子２４を収容している。光学素子２４は、フィルム状またはシート状を有する。第１の光学素子２２および第２の光学素子２３と、収容した１または複数の光学素子２４とが密着することが好ましい。
【００４２】
また、図２７に示すように、第１の光学素子２２の側壁部２２ａと第２の光学素子２３の側壁部２３ａとが反対の方向を向くように、第１の光学素子２２と第２の光学素子２３とを重ね合わせて、１または複数の光学素子２４を収容するための空間を形成してもよい。
この第３の実施形態においては、上記以外のことは、第１の実施形態と同様である。
【００４３】
（４）第４の実施形態
図２８は、この発明の第４の実施形態による光学素子積層体の一構成例を示す分解斜視図である。図２８に示すように、第１の光学素子２２は、対向する一組の辺に側壁部２２ａが設けられている。また、同様に、第２の光学素子２３は、対向する一組の辺に側壁部２３ａが設けられている。第１の光学素子２２および第２の光学素子２３を重ね合わせることにより、第１の光学素子２２の主面部２２ｓ、および側壁部２２ａと、第２の光学素子２３の主面部２３ｓ、および側壁部２３ａとにより収容空間が形成される。この収容空間に１または複数の光学素子２４が収容される。光学素子２４の全周囲が、第１の光学素子２２の側壁部２２ａと第２の光学素子２３の側壁部２３ａとが組み合わされることで閉ざされている。
この第４の実施形態においては、上記以外のことは、第２の実施形態と同様である。
【００４４】
（５）第５の実施形態
図２９は、この発明の第５の実施形態による第１の光学素子の角部を拡大して示す。図２９に示すように、この第５の実施形態による第１の光学素子２２は、１つの角部を介して隣接する２辺のうちの一方に設けられた側壁部２２ａに折り返し部５４を有する。この折り返し部５４は、１つの角部を介して隣接する２辺に設けられた側壁部２２ａを連結する連結部材である。折り返し部５４は、側壁部２２ａの一端または両端が延在されたものである。
【００４５】
折り返し部５４は、以下のようにして形成される。まず、図３０に示すように、矩形状の主面部２２ｓの角部を軸として折り返し部５４を折り返す。次に、図３０Ｂに示すように、この折り返された一端部を、隣接する他方の辺に設けられた側壁部２３ａに対して、熱融着などにより接合し、接合部５５を形成する。これにより、隣接する２辺に立設された側壁部２３ａ同士が連結される。
また、隣接する２辺に立設された側壁部２３ａ同士を別部材により連結するようにしてもよい。
この第５の実施形態においては、上記以外のことは、第１の実施形態と同様である。
【００４６】
（６）第６の実施形態
図３１は、この発明の第６の実施形態による光学素子積層体の一構成を示す。図３１に示すように、第２の光学素子２３の側壁部２３ａは、外側に向かって広がるように折り曲げられている。したがって、第２の光学素子２３を第１の光学素子の側壁部２２ａにより規定される空間に押し込むと、第２の光学素子２３の側壁部２３ａが第１の光学素子２２の側壁部２２ａに力を及ぼす。この力によって、第２の光学素子２３は、第１の光学素子の側壁部２２ａに支持されている。
この第６の実施形態においては、上記以外のことは、第１の実施形態と同様である。
【００４７】
（７）第７の実施形態
図３２は、この発明の第７の実施形態による光学素子積層体の一構成を示す断面図である。図３３は、この発明の第７の実施形態による光学素子積層体の一構成を示す分解斜視図である。図３２および図３３に示すように、第１の光学素子２２の側壁部２２ａと、第２の光学素子２３の側壁部２３ａとには、凸部２２および凹部２３ｂとからなる嵌合部が設けられている。具体的には、第１の光学素子２２の側壁部２２ａは、第２の光学素子２３の側壁部２３ａと対向する内側面に、点状の凸部２２ｂを有する。また、第２の光学素子２３の側壁部２３ａは、第１の光学素子２２の側壁部２２ａと対向する外側面に、点状の凹部２３ｂを有する。第１の光学素子２２が有する側壁部２２ａの凸部２２ｂが、第２の光学素子２３が有する側壁部２３ａの凹部２３ｂに対して嵌合される。
【００４８】
また、図３４に示すように、第１の光学素子２２の側壁部２２ａ、第２の光学素子２３の側壁部２３ａに対してそれぞれ、線状の凸部２２ｂ、線状の凹部２３ｂを設け、これらを嵌合させるようにしてもよい。
この第７の実施形態においては、上記以外のことは、第１の実施形態と同様である。
【００４９】
（８）第８の実施形態
図３５は、この発明の第８の実施形態による光学素子積層体の一構成を示す断面図である。図３５に示すように、帯状の光学素子２４が交互に折り返されて、第１の光学素子２２と第２の光学素子２３との間に形成される収容空間に収容されている。
【００５０】
以下、図３６を参照して、上述の構成を有する光学素子積層体の製造方法について説明する。
まず、図３６Ａに示すように、帯状の光学素子２４を作製する。この帯状の光学素子２４には、その長手方向の一端から他端に向けて複数の領域が設定されており、これらの各領域に、所望とする光学特性に応じた光学機能が付与されている。この光学機能としては、例えば、拡散機能、集光機能、偏光反射機能、光変換機能などが挙げられる。図３６Ａでは、帯状の光学素子２４の一端から他端に向けて、３つの領域Ｒ１、Ｒ２、Ｒ３が設定されている例が示されている。第1の領域Ｒ１には、例えばムラ消しフィルムが設けられ、第2の領域Ｒ２には、例えば拡散フィルムが設けられ、第３の領域Ｒ３には、例えばプリズムフィルムが設けられている。
【００５１】
次に、図３６Ｂに示すように、各領域の境界を折り目として、帯状の光学素子２４をジグザグに折りたたみ、蛇腹状にする。次に、図３６Ｃに示すように、第２の光学素子２３上に、蛇腹状に折りたたまれた光学素子２４を載置する。次に、図３６Ｄに示すように、第２の光学素子２３上に第１の光学素子２２を積み重ねる。これにより、第1の光学素子２２と第２の光学素子２３との間に形成される収容空間に光学素子２４が収容される。
以上により、目的とする光学素子積層体２１が得られる。
【００５２】
また、図３７に示すように、折り返された帯状の光学素子２４の間に、フィルム状、シート状または板状の光学素子２４を挿入するようにしてもよい。挿入する光学素子２４としては、例えば、拡散板、拡散シート、レンズシートなどが挙げられる。
【００５３】
また、図３８Ａに示すように、帯状の光学素子２４の両面に光学機能層を形成するようにしてもよい。図３８Ａでは、第１の領域では、フィルムの表面側にムラ消し用のレンズが形成され、第２の領域では、フィルムの裏面側にプリズムレンズが形成され、第３の領域では、フィルムの表面側に拡散層が形成された例が示されている。
【００５４】
上述のように構成された光学素子２４では、光学素子２４を折りたたんで蛇腹状にすると、例えば、図３８Bに示すように、光学機能層を同一の方向に配置することができる。
すなわち、光学機能層をフィルムの表面および裏面に選択的に形成することで、帯状の光学素子２４を蛇腹状にした場合に、光学機能層を所望の方向に配置することができる。
【００５５】
（９）第９の実施形態
図３９は、この発明の第９の実施形態による液晶表示装置の一構成を示す断面図である。図３９に示すように、この液晶表示装置は、光を出射するバックライト１と、バックライト１から出射された光に基づき画像を表示する液晶パネル２とを備える。
【００５６】
バックライト１は、いわゆるサイドライト方式（エッジライト方式とも称される）のバックライトユニットであり、１または複数の光源１１と、光学素子積層体２１と、１または複数の光源１１および光学素子積層体２１を収容する筐体１２とを備える。また、必要に応じて、光学素子積層体２１と液晶パネル２との間に、シート状またはフィルム状を有する光学素子２４をさらに備えるようにしてもよい。また、光源１１を覆うリフレクタ１４をさらに備えるようにしてもよい。
【００５７】
また、図４０に示すように、筐体１２の内側面に溝１２ａを設け、この溝１２ａに対して、光学素子積層体２１を構成する第1の光学素子２２の側壁部２２ａの先端を嵌合することが好ましい。これにより、光学素子積層体２１のバックライト１内における位置を固定することができる。
【００５８】
図４１は、この発明の第９の実施形態による光学素子積層体２１の一構成例を示す。図４１に示すように、第１の光学素子２２は、矩形状の主面部２２ｓと、この主面部２２ｓの４辺のうち、対向する一組の辺に側壁部２２ａが設けられている。また、同様に、第２の光学素子２３は、矩形状の主面部２３ｓと、この主面部２３ｓの４辺のうち、対向する一組の辺に側壁部２３ａが設けられている。第１の光学素子２２および第２の光学素子２３は、それらの側壁部２２ａ、２３ａが互いに反対の方向を向くとともに、側壁部２２ａ、２３ａ同士が重なり合うように積み重ねられる。
【００５９】
図４１に示すように、第１の光学素子２２と第２の光学素子２３との間に形成される収容空間に導光板２５が収容される。導光板２５は矩形状の形状を有する。すなわち、導光板２５は、液晶パネル２と対向する第１の主面と、それとは反対側の第２の主面と、第１の主面および第２の主面の間に位置する４つの端面とを有する。導光板２５の面のうち、対向する一組の端面、または一つの端面が、第１の光学素子２２の側壁部２２ａおよび第２の光学素子２３の側壁部２３ａに覆われず露出している。この導光板２５の端面が露出した部分から、光源１１の光が入射される。
【００６０】
導光板２５は、例えば、平板状、または光源１１が配置される一端からそれとは反対側の他端に向けて徐々に薄くなるテーパ形状である。導光板２５の材料としては、例えば、ポリメチルメタアクリレート（ＰＭＭＡ）などの透明プラスチックを用いることができる。導光板２５の第２の主面には、導光板内に入射した光を散乱反射させるためのドットパターンが形成されている。このドットパターンの形成方法としては、例えば、白色インクで反射ドットを印刷する印刷方式、スタンパやインクジェットで凹凸を付ける成形方式などを用いることができる。
【００６１】
また、第１の光学素子２２および第２の光学素子２３により、導光板２５の全ての面が閉ざされている場合には、図４２に示すように、第１の光学素子２２の側壁部２２ａおよび／または第２の光学素子２３の側壁部２３ａに開口部５６を設け、この開口部５６を介して点光源（例えばＬＥＤ）などの光源１１からの光を導光板２５に入射させるようにしてもよい。
【００６２】
また、導光板２５の２以上の端面に光源１１からの光を入射する場合には、図４３に示すように、それらの端面を覆う第１の光学素子２２および／または第２の光学素子２３に対して開口部５６を形成するようにしてもよい。開口部５６は、孔に限定されるものではなく、第１の光学素子２２の側壁部２２ａ、および／または第２の光学素子２２の側壁部２３ａを溝加工などして、凹凸状の溝を設けたものであってもよい。
【００６３】
以上、この発明の実施形態について具体的に説明したが、この発明は、上述の実施形態に限定されるものではなく、この発明の技術的思想に基づく各種の変形が可能である。
【００６４】
例えば、上述の実施形態において挙げた数値、形状、材料および構成などはあくまでも例に過ぎず、必要に応じてこれと異なる数値、形状、材料および構成などを用いてもよい。
【００６５】
また、上述の実施形態の各構成は、この発明の主旨を逸脱しない限り、互いに組み合わせることが可能である。
【図面の簡単な説明】
【００６６】
【図１】従来の液晶表示装置の構成を示す概略図である。
【図２】この発明の第１の実施形態による液晶表示装置の一構成例を示す概略図である。
【図３】この発明の第１の実施形態による光学素子積層体の一構成例を示す斜視図である。
【図４】この発明の第１の実施形態による光学素子積層体の一構成例を示す分解斜視図である。
【図５】図３に示した光学素子積層体のＶ−Ｖ線に沿った断面図である。
【図６】光学素子積層体の側壁部を拡大して示す断面図である。
【図７】この発明の第１の実施形態による光学素子積層体の変形例を示す断面図である。
【図８】この発明の第１の実施形態による光学素子積層体の変形例を示す断面図である。
【図９】第１の光学素子の角部を拡大して示す斜視図である。
【図１０】光学素子積層体の側壁部を拡大して示す側面図である。
【図１１】光学素子積層体の側壁部を拡大して示す側面図である。
【図１２】第１の光学素子の展開図である。
【図１３】この発明の第１の実施形態による光学素子の第１の構成例を示す断面図である。
【図１４】この発明の第１の実施形態による光学素子の第２の構成例を示す断面図である。
【図１５】この発明の第１の実施形態による光学素子の第３の構成例を示す断面図である。
【図１６】この発明の第１の実施形態による光学素子の第４の構成例を示す断面図である。
【図１７】この発明の第１の実施形態による光学素子の第４の構成例を示す断面図である。
【図１８】この発明の第１の実施形態による光学素子の第５の構成例を示す断面図である。
【図１９】この発明の第１の実施形態による光学素子の第６の構成例を示す断面図である。
【図２０】この発明の第１の実施形態による光学素子の第７の構成例を示す断面図である。
【図２１】この発明の第１の実施形態による光学素子積層体の製造方法の一例について説明するための工程図である。
【図２２】この発明の第１の実施形態による光学素子積層体の製造方法の一例について説明するための平面図である。
【図２３】この発明の第２の実施形態による光学素子積層体の一構成例を示す分解斜視図である。
【図２４】この発明の第２の実施形態による光学素子積層体の変形例を示す分解斜視図である。
【図２５】この発明の第３の実施形態による光学素子積層体の一構成例を示す分解斜視図である。
【図２６】この発明の第３の実施形態による光学素子積層体の一構成例を示す断面図である。
【図２７】この発明の第３の実施形態による光学素子積層体の変形例を示す断面図である。
【図２８】この発明の第４の実施形態による光学素子積層体の一構成例を示す分解斜視図である。
【図２９】この発明の第５の実施形態による光学素子の角部を拡大して示す斜視図である。
【図３０】この発明の第５の実施形態による光学素子の形成工程を説明するための工程図である。
【図３１】この発明の第６の実施形態による光学素子積層体の一構成を示す断面図である。
【図３２】この発明の第７の実施形態による光学素子積層体の一構成を示す断面図である。
【図３３】この発明の第７の実施形態による光学素子積層体の一構成を示す分解斜視図である。
【図３４】この発明の第７の実施形態による光学素子積層体の変形例を示す分解斜視図である。
【図３５】この発明の第８の実施形態による光学素子積層体の一構成を示す断面図である。
【図３６】この発明の第８の実施形態による光学素子積層体の製造方法について説明するための工程図である。
【図３７】この発明の第８の実施形態による光学素子積層体の変形例を示す断面図である。
【図３８】この発明の第８の実施形態による光学素子積層体の変形例を示す断面図である。
【図３９】この発明の第９の実施形態による液晶表示装置の一構成を示す断面図である。
【図４０】この発明の第９の実施形態による液晶表示装置の変形例を示す拡大断面図である。
【図４１】この発明の第９の実施形態による光学素子積層体の一構成例を示す分解斜視図である。
【図４２】この発明の第９の実施形態による光学素子積層体の変形例を示す分解斜視図である。
【図４３】この発明の第９の実施形態による光学素子積層体の変形例を示す分解斜視図である。
【符号の説明】
【００６７】
１        バックライト
２        液晶パネル
１１      光源
１２      筐体
１２a    溝
１３      スタットピン
１４      リフレクタ
２１      光学素子積層体
２２      第１の光学素子
２２ｓ    主面部
２２ａ    側壁部
２２ｂ    凸部
２２Ｌ    折り曲げ線
２３      第２の光学素子
２３ｓ    主面部
２３ａ    側壁部
２３ｂ    凹部
２４      光学素子
２５      導光板
３１      基材層
３２      フィラー
３３      凹凸形状
３４      拡散層
３５      バインダー
３６      フィラー
３７      拡散層
３８      バインダー
３９      フィラー
４０      ボイド
４１      レンズ形状
４２      レンズ層
５１      開放部
５２      領域
５３      接合部
５４      折り返し部
５５      接合部
５６      開口部
６１      光学フィルム
６２      ビク型
【図１】
2010044220.tif 000003
【図２】
2010044220.tif 000004
【図３】
2010044220.tif 000005
【図４】
2010044220.tif 000006
【図５】
2010044220.tif 000007
【図６】
2010044220.tif 000008
【図７】
2010044220.tif 000009
【図８】
2010044220.tif 000010
【図９】
2010044220.tif 000011
【図１０】
2010044220.tif 000012
【図１１】
2010044220.tif 000013
【図１２】
2010044220.tif 000014
【図１３】
2010044220.tif 000015
【図１４】
2010044220.tif 000016
【図１５】
2010044220.tif 000017
【図１６】
2010044220.tif 000018
【図１７】
2010044220.tif 000019
【図１８】
2010044220.tif 000020
【図１９】
2010044220.tif 000021
【図２０】
2010044220.tif 000022
【図２１】
2010044220.tif 000023
【図２２】
2010044220.tif 000024
【図２３】
2010044220.tif 000025
【図２４】
2010044220.tif 000026
【図２５】
2010044220.tif 000027
【図２６】
2010044220.tif 000028
【図２７】
2010044220.tif 000029
【図２８】
2010044220.tif 000030
【図２９】
2010044220.tif 000031
【図３０】
2010044220.tif 000032
【図３１】
2010044220.tif 000033
【図３２】
2010044220.tif 000034
【図３３】
2010044220.tif 000035
【図３４】
2010044220.tif 000036
【図３５】
2010044220.tif 000037
【図３６】
2010044220.tif 000038
【図３７】
2010044220.tif 000039
【図３８】
2010044220.tif 000040
【図３９】
2010044220.tif 000041
【図４０】
2010044220.tif 000042
【図４１】
2010044220.tif 000043
【図４２】
2010044220.tif 000044
【図４３】
2010044220.tif 000045